(57)【要約】瞳孔反応テスティングを実行するためのシステムにおいて、テストされる個人は可搬プログラム可能デバイスを提供される。前記可搬プログラム可能デバイスは例えば個人情報を表すデータを運ぶスマートカードであり、前記個人情報とは例えば保有者の年齢及び性別である。インターフェースデバイスは、スマートカードリーダのような、プログラム可能デバイスから前記データを読み取るための手段を有し、テスト手段は、瞳孔反応テスティングを実行するためのカメラを含む。コントロール手段は、インターフェースデバイスによってプログラム可能デバイスから読み取られるデータに依存して瞳孔反応テストから結果を処理する。好ましくは、スマートカードまたは他のプログラム可能デバイスはまた、プログラム可能デバイスから発行された個人を識別するバイオメトリックデータを運び、並びにインターフェースデバイスは、スマートカードからバイオメトリックデータを読み取るように動作可能であり、そして保有者がスマートカードから発行された個人であることを検証する。瞳孔反応テスティング手段の一部を形成するカメラは、検証目的で保有者のバイオメトリックスキャン、例えば虹彩スキャンを行うために使用される。【特許請求の範囲】
【請求項１】
瞳孔反応テスティングを実行するためのシステムであって、
前記システムはプログラム可能デバイスを保有する個人に関する個人情報を表すデータを運ぶ前記可搬プログラム可能デバイスとインターフェースデバイスを含み、
前記インターフェースデバイスは、前記プログラム可能デバイスから前記データを読み取るための手段と、瞳孔反応テスティングを実行するためのカメラを含むテスト手段と、前記インターフェースデバイスによって前記プログラム可能デバイスから読み取られる前記データに依存して前記テスト手段からの結果を処理するように動作可能であるコントロール手段とを含む、
システム。
【請求項２】
前記プログラム可能デバイスは、前記プログラム可能デバイスが発行されている前記個人を識別するバイオメトリックデータをさらに有し、前記インターフェースデバイスは前記バイオメトリックデータを読み取るように動作可能であり、そして前記プログラム可能デバイスの保有者は前記プログラム可能デバイスが発行されている前記個人であることを検証するために、前記保有者のスキャンを実行する手段を前記システムは含む、請求項１に記載のシステム
【請求項３】
前記テスト手段の一部を形成する前記カメラは前記保有者の前記スキャンを行うために使用され、前記システムに、前記プログラム可能デバイスの前記保有者は前記プログラム可能デバイスが発行されている前記個人であることの検証を許容する、請求項２に記載のシステム。
【請求項４】
前記バイオメトリックデータは、前記個人の虹彩スキャンを表す、請求項２または３に記載のシステム。
【請求項５】
前記可搬プログラム可能デバイスはスマートカードである、請求項１から４のいずれかに記載のシステム。
【請求項６】
請求項１の前記システムにおける使用のためのインターフェースデバイスであって、前記インターフェースデバイスは、可搬プログラム可能デバイスからデータを読み取るための手段と、瞳孔反応テスティングを実行するためのカメラを含むテスト手段と、及び前記インターフェースデバイスによって前記プログラム可能デバイスから読み取られる前記データに依存して前記テスト手段から結果を処理するように動作可能なコントロール手段とを含む、インターフェースデバイス。
【請求項７】
可搬プログラム可能デバイスからバイオメトリックデータを読み取るように動作可能であり、及び前記プログラム可能デバイスの保有者のスキャンからのデータと前記バイオメトリックデータとを比較することによって、前記保有者は前記プログラム可能デバイスが発行されている個人であることを検証するために、前記スキャンを実行する手段を含む、請求項６に記載のインターフェースデバイス。
【請求項８】
前記テスト手段の一部を形成する前記カメラは、前記システムに、前記プログラム可能デバイスの前記保有者に前記プログラム可能デバイスが発行されている前記個人であることの検証を許容するための、前記保有者の前記スキャンを実行するために使用される、請求項７に記載のインターフェースデバイス。
【請求項９】
前記バイオメトリックデータは前記個人の虹彩スキャンを表す、請求項７または８に記載のインターフェースデバイス。
【請求項１０】
可搬プログラム可能デバイスからデータを読み取るための手段はスマートカードリーダである、請求項６から９のいずれかに記載のインターフェースデバイス。
【発明の詳細な説明】
【背景技術】
【０００１】
安全限界タスクのために、幾人かの従業員は光瞳孔反応テストうけている。これらテストは、照明の変化に応答する時間を測定し、そして、すなわち仕事にふさわしいかに関して、いわば肉体的反応時間が安全限界設備を操作することを要求されていない人を除外することができる。
【０００２】
正常な人間の瞳孔反応時間は学習され、よく理解されてきた。それらは主に人の年齢及び性別により変化する。測定される時間に対する平均的テンプレートを持つことは可能であるが、テストをうけた人の年齢及び性別に対してテンプレートが正規化された場合、偽の承認及び拒絶の割合は著しく減少することができる。
【発明の開示】
【発明が解決しようとする課題】
【０００３】
テストされる個人にとっての正しい正常プロファイルが選択されることを保証するために、各テストで正しい年齢及び性別を確かめる必要があるであろう。関係する人が「テストをだます」ことを試みる理由を持つ場合、このデータの手動入力は信頼できない。
【課題を解決するための手段】
【０００４】
この発明に従い、瞳孔反応テスティングを実行するためのシステムが提供され、前記システムはプログラム可能デバイスを保持する個人に関する個人情報を表すデータを運ぶ可搬プログラム可能デバイスを含む。；インターフェースデバイスは、前記プログラム可能デバイスから前記データを読み取るための手段、瞳孔反応テスティングを実行するためのカメラを含むテスト手段、及び前記インターフェースデバイスによって前記プログラム可能デバイスから読み取られるデータに従い前記テスト手段から結果を処理するように動作可能であるコントロール手段を含む。
【０００５】
好ましくは、前記プログラム可能デバイスは、前記プログラム可能デバイスが発行されている個人を識別するバイオメトリックデータをさらに含み、前記インターフェースデバイスは前記バイオメトリックデータを読み取るように動作可能であり、及び前記システムは前記プログラム可能デバイスの保有者は前記プログラム可能デバイスが発行されている個人であることを検証するために、前記保有者のスキャンを実行する手段を含む。
【０００６】
好ましい実施形態において、前記テスト手段の一部を形成する前記カメラは、前記システムに、前記プログラム可能デバイスの前記保持者は前記プログラム可能デバイスが発行されている個人であることの検証を許容するために、前記保有者のスキャンを行うために使用される。
【発明を実施するための最良の形態】
【０００７】
この発明に従うスキームにおいて、例示の方法により以下で説明されるように、テストをうけている人は、瞳孔反応テストが開始しているとき、瞳孔テスト装備が取り付けられそして制御されるＩＴシステムへ信頼されたトークンを提出しなければならない。トークンは、例えばスマートカードのような可搬プログラム可能デバイスの形態でよい。
【０００８】
トークンの所有は、（銀行カードの所有がそのユーザを認証するのと同一方法で）テストされる個人を認証する。このスキームにおいて使用されるトークンは、しかしながら、正常な瞳孔反応テンプレートに対し保有者個々の正しい年齢及び性別を索引に載せるデータをまた含む。これは個人が年齢に関する偽の情報をテスターに与えることを防止する。
【０００９】
トークンの真の保有者に代わってテスティングを受ける同一の性別及び同様の年齢の代人へトークンが与えられる場合、このようなシステムは悪用をまだ受けやすいことが理解されよう。従って、年齢と性別に関する基礎データに加え、スマートカードトークンはまた、トークンの真の保有者を一意に識別するバイオメトリックデータ、この場合都合のよいことには虹彩スキャンからのデータを運ぶことが提案されている。
【００１０】
この発明のテスティング装置は好ましくは、虹彩スキャンを実行しそしてスマートカードトークン上に保持されるバイオメトリックデータに対してそのスキャンの結果をチェックすることによって、テストをうける人のバイオメトリック認証を実行する。要求される瞳孔反応テストはそのとき、テストされる個人が正しい個人であることを、今までのケースより非常に高い確実性のレベルで実行されることができる。
【００１１】
虹彩スキャンと瞳孔反応テストの両方は、テスターまたは自動化テストセンターへ情報を提供するカメラを利用する装置を使用して実行される。
この発明のスキームの好ましい実施形態において、適切なコントロール装置と共に、虹彩スキャンと瞳孔反応テストの両方を実行するために同一のカメラが使用される。
【００１２】
コンピュータネットワークまたはインターネットに通じる遠隔地で瞳孔反応テスティングが実行されることはまた有利であろう、そしてこれを達成するために、使用されるカメラは任意のテスティングステーションに取り付けられることのできる「ウエブカメラ」クラスのカメラであることが好ましい。；カメラ、スマートカードリーダ及び適切なソフトウェアを備えたＰＣを使用してテスティングステーションはセットアップされることを許容する。
【００１３】
瞳孔反応テストにとって、使用されるカメラは１秒あたり６０−１００フレームのフレームレート及び約１２８０×９６０のピクセルエリア、ピクセル深度及び適切なカメラコントロールを必要とする。必要な特性を持つ現在利用可能なカメラの１つのモデルは、「Ｐｈｉｌｉｐｓ  ＳＰＣ  ９００ＮＣ  Ｐｉｘｅｌ  Ｐｌｕｓ  １．３  ＭＰ」ウエブカメラであり、それはビデオ解像度ＶＧＡ（６４０ｘ４８０）、スナップショット解像度１．３ＭＰ（１２４０×９６０）、ＣＩＦで９０ｆｐｓ及びＶＧＡで７５ｆｐｓの最大フレームレート、同じくカラー深度２４ビットを持つ。カメラはＰＣへ従来のＵＳＢポ−トを経由して接続される。これら特徴は虹彩スキャンと瞳孔反応テスティングの両方のために要求される最小限を提供するのみであり、問題のカメラはまた、スムーズで、ジャダー（ぶれ）の無い画像を与えるための「デジタル・ナチュラル・モーション（Ｄｉｇｉｔａｌ  Ｎａｔｕｒａｌ  Ｍｏｔｉｏｎ）」機能、及びテストされる個人の一部のより自由な動きを許容する「自動フェーストラッキング」を持つ。
【００１４】
同一のカメラはこのように、バイオメトリック虹彩スキャン及び瞳孔反応スキャンの両方のために使用され、処理を速め、そしてテスティングを遠隔地で実行されることを許可する。もし他の光バイオメトリックスキャニング技術が使用されるようになれば、上述の虹彩スキャニングの場所において、説明された虹彩スキャニングの代わりとしてそれらスキャンを実行するためにカメラが使用できることが、理解されよう。
【国際調査報告】
2008546461.tif 000002
2008546461.tif 000003
2008546461.tif 000004